(57)【要約】【課題】ディスク媒体が変更されてもＢＣＡの情報を適切に読み取ることができるディスク装置を提供する。【解決手段】ディスク情報取得部７１は、ディスクｄを特定するためのディスク情報を取得する。ＢＣＡ記録位置データベース８０は、ディスクｄのＢＣＡの情報の読み出しに成功した光ピックアップ２の移動制御量がディスク情報に対応付けて記憶される。検索部７２は、ディスク情報取得部７１により取得されたディスク情報に対応する移動制御量を、ＢＣＡ記録位置データベース８０から検索する。制御部７０は、検索部７２により検索された移動制御量に基づいて、光ピックアップ２にディスクｄのＢＣＡの情報を読み出させる。【選択図】図２
2017004575.tif 000002
【特許請求の範囲】
【請求項１】
ディスク媒体を特定するためのディスク情報を取得する取得部と、
ディスク媒体のバーストカッティングエリアの情報の読み出しに成功した光ピックアップの移動制御量がディスク情報に対応付けて記憶されたデータベースと、
前記取得部により取得されたディスク情報に対応する移動制御量を、前記データベースから検索する検索部と、
前記検索部により検索された移動制御量に基づいて、光ピックアップにディスク媒体のバーストカッティングエリアの情報を読み出させる制御部と
を備えたことを特徴とするディスク装置。
【請求項２】
ディスク媒体のバーストカッティングエリアの情報の読み出しに成功したか否かを判定する判定部を備え、
前記制御部は、前記判定部により読み出しに成功したと判定された際の光ピックアップの移動制御量を、ディスク媒体のディスク情報に対応付けて前記データベースに記憶することを特徴とする請求項１記載のディスク装置。
【請求項３】
ディスク情報は、少なくともディスク媒体の製造メーカーを示す情報を含むことを特徴とする請求項１または請求項２記載のディスク装置。
【請求項４】
前記検索部は、ディスク情報に含まれる各情報のうち、優先順位の高い情報に対応する制御移動量を、前記データベースから検索することを特徴とする請求項１から請求項３のうちのいずれか１項記載のディスク装置。
【請求項５】
前記検索部は、ディスク情報に含まれる各情報のうち、統計的な分析で特定された情報に対応する制御移動量を、前記データベースから検索することを特徴とする請求項１から請求項３のうちのいずれか１項記載のディスク装置。
【発明の詳細な説明】
【技術分野】
【０００１】
この発明は、バーストカッティングエリアを有したディスク媒体に情報を読み書きするディスク装置に関する。
【背景技術】
【０００２】
従来から、ディスク固有の識別情報を用いて、ディスク媒体に記録されたコンテンツの無断複製を防止する技術が普及している。コンテンツは、この識別情報によってスクランブルされた状態でディスクに記録される。従って、コンテンツのみを他のディスクに複製しても、この識別情報がなければコンテンツのスクランブルを解くことができない。
【０００３】
ディスク固有の識別情報は、前述のように使用されることから、通常のトラック領域には記録されず、バーストカッティングエリア（以下、ＢＣＡと記載する）に記録される。
ＢＣＡは、ディスクの内周部に設けられた領域であり、識別情報は、ＢＣＡの記録膜を部分的に焼き切って形成されたスリットパターンとして記録される。このスリットパターンはディスクの製造段階で形成され、通常のディスク装置では形成することができない。
【０００４】
ＢＣＡに記録された情報は、スリットパターンが示すデジタル情報として読み出され、トラック領域のようにアドレス情報で記録位置が管理されていない。このため、アドレス情報を基にした記録位置への高速アクセスは不可能である。
また、ＢＣＡは、ディスクの内周部に設けられたリング状の狭い領域であることから、ディスクの偏心などに起因した情報の読み込み失敗が発生しやすい。
【０００５】
これに対して、例えば、特許文献１に記載されるディスク記録再生装置では、ディスクが偏心しても光ヘッドのビームスポットがＢＣＡから外れないように、ＢＣＡからの情報の読み出しにおいて、ビームスポットをＢＣＡの中央に位置付けている。
このように光ヘッドを制御するため、上記ディスク記録再生装置は、光ヘッドをＢＣＡの径方向開始縁に移動させた後、さらにＢＣＡを横断させて、この横断に掛かった時間に基づいて、ＢＣＡの中央位置まで移動させる駆動力の付与時間を推定している。
【先行技術文献】
【特許文献】
【０００６】
【特許文献１】特開２００５−８５４１５号公報
【発明の概要】
【発明が解決しようとする課題】
【０００７】
ディスクの偏心などはディスクごとに個体差があるため、一つのディスクで付与時間を決定しても、この付与時間が他のディスクでそのまま使用できるとは限らない。例えば、ディスクＡで決定した付与時間で光ヘッドを移動させてもビームスポットがディスクＢのＢＣＡの中央に位置付けられない場合がある。このため、ディスクが変わる度に付与時間を推定しなければならない。従って、ディスクに記録されたコンテンツを再生する前に、光ヘッドでＢＣＡを横断させて付与時間を推定する必要があるので、再生起動時間の遅延が避けられない。
【０００８】
この発明は上記の課題を解決するもので、ディスク媒体が変更されても、ＢＣＡの情報を適切に読み取ることができるディスク装置を得ることを目的とする。
【課題を解決するための手段】
【０００９】
この発明に係るディスク装置は、取得部、データベース、検索部、制御部を備える。
取得部は、ディスク媒体を特定するためのディスク情報を取得する。データベースは、ディスク媒体のＢＣＡの情報の読み出しに成功した光ピックアップの移動制御量がディスク情報に対応付けて記憶される。検索部は、取得部により取得されたディスク情報に対応する移動制御量を、データベースから検索する。制御部は、検索部により検索された移動制御量に基づいて、光ピックアップにディスク媒体のＢＣＡの情報を読み出させる。
【発明の効果】
【００１０】
この発明によれば、ディスク媒体のＢＣＡの情報の読み出しに成功した光ピックアップの移動制御量がディスク情報に対応付けて記憶されたデータベースから、ディスク情報に対応する移動制御量を読み出してＢＣＡの情報の読み出しに使用するので、ディスク媒体が変更されても、ＢＣＡの情報を適切に読み取ることができる。
【図面の簡単な説明】
【００１１】
【図１】この発明の実施の形態１に係るディスク装置のハードウエア構成を示す図である。
【図２】図１のＣＰＵの機能構成を示すブロック図である。
【図３】ディスク媒体の記録領域の概要を示す図である。
【図４】実施の形態１に係るディスク装置の動作を示すフローチャートである。
【発明を実施するための形態】
【００１２】
実施の形態１．
図１は、この発明の実施の形態１に係るディスク装置１のハードウエア構成を示す図である。なお、図１には、この発明に係るディスク装置１の主要部分のみを示しており、図１に示す構成要素以外の光ディスク記録再生装置における公知の構成要素については図示を省略している。ディスク装置１は、ディスクｄに対する情報の記録および情報の再生を行う装置であって、例えば、車両に搭載されるオーディオ機器のディスク装置として実現される。
【００１３】
光ピックアップ２は、ディスクｄのデータ記録領域から信号を読み取るピックアップである。なお、光ピックアップ２は、対物レンズをフォーカス方向に駆動させる駆動機構を有している。光源からのレーザ光は、この対物レンズによってディスクｄの記録面に集光される。
【００１４】
搬送機構３は、モータ４の駆動力によって光ピックアップ２をディスクｄの径方向に搬送する。モータ４は、搬送機構３に駆動力を与えて一定の送り量ごとに光ピックアップ２を駆動させるステッピングモータである。増幅器５は、サーボ部９からモータ４へ出力される制御信号を増幅する増幅器である。なお、搬送機構３、モータ４および増幅器５は、光ピックアップ２の送り機構を構成する。
【００１５】
Ａ／Ｄ変換器６は、光ピックアップ２がディスクｄから読み取った信号をデジタル信号に変換してＣＰＵ（Ｃｅｎｔｒａｌ  Ｐｒｏｃｅｓｓｉｎｇ  Ｕｎｉｔ）７に出力する。
ＣＰＵ７は、メモリ８から読み出したプログラムを実行してサーボ部９を制御する。
メモリ８に記憶されているプログラムは、図２を用いて後述する機能が記述されたプログラムである。サーボ部９は光ピックアップ２を制御してサーボ処理を実施する。サーボ処理には、トラッキングサーボおよびフォーカスサーボがある。なお、Ａ／Ｄ変換器６、ＣＰＵ７、メモリ８およびサーボ部９は、ディスク装置１の演算処理部を構成する。
【００１６】
図２はＣＰＵ７の機能構成を示すブロック図である。図２に示すように、ＣＰＵ７は、制御部７０、ディスク情報取得部７１、検索部７２および判定部７３を備える。メモリ８には、ＢＣＡ記録位置データベース８０が格納されている。
なお、メモリ８には、ディスク装置１に対する電源供給が停止されてもＢＣＡ記録位置データベース８０の記憶が保持されるように不揮発性のメモリが使用される。
【００１７】
制御部７０は、サーボ部９を制御して各種のサーボ処理を実行する制御部である。また制御部７０は、ＢＣＡ記録位置データベース８０から検索された光ピックアップ２の移動制御量に基づいてサーボ部９を制御し、光ピックアップ２を駆動させてディスクｄのＢＣＡの情報を読み出させる。光ピックアップ２の移動制御量とは、ＢＣＡにアクセスしたときの光ピックアップ２の内周送り量であり、例えば、ＢＣＡの開始位置からＢＣＡの幅の半分だけの距離を内周に送る送り量である。
【００１８】
ディスク情報取得部７１は、この発明における取得部を具体化したもので、ディスクｄを特定するためのディスク情報を取得する。ディスク情報には、少なくともディスクｄの製造メーカーを示す情報が含まれており、これに加えて、ディスクタイプ、レイヤー数、リージョンコード、記憶容量、記録倍速を示す各情報がある。
ディスクタイプは、ディスクｄの種別であって、例えば、ＤＶＤ−Ｒ、ＤＶＤ−ＲＷ、ＤＶＤ−ＲＡＭ、ＤＶＤ−ＲＯＭ、ＢＤ（Ｂｌｕ-ｒａｙ  Ｄｉｓｃ；登録商標、以下記載を省略する）−ＲＥ、ＢＤ−Ｒ、ＢＤ−ＲＯＭである。
なお、ＢＣＡに形成されるスリットパターンの記録位置は、一般的にディスクｄの製造メーカーのディスク製造仕様に依存する。
すなわち、ディスク情報に含まれる情報のうち、ディスクｄの製造メーカーを示す情報は、ＢＣＡにおける情報の記録に最も支配的な情報となる。
【００１９】
検索部７２は、ディスク情報取得部７１により取得されたディスク情報に対応する移動制御量を、ＢＣＡ記録位置データベース８０から検索する。検索結果として得られた移動制御量は、検索部７２から制御部７０に送られる。
判定部７３は、光ピックアップ２によってＢＣＡから読み出された情報を、Ａ／Ｄ変換器６を介して入力し、この情報に基づいてＢＣＡからの情報の読み出しに成功したか否かを判定する。判定結果は、判定部７３から制御部７０に通知される。
【００２０】
ＢＣＡ記録位置データベース８０は、この発明におけるデータベースを具体化したものであり、ディスクｄのＢＣＡの情報の読み出しに成功した光ピックアップ２の移動制御量がディスク情報に対応付けて記憶されている。
また、制御部７０は、判定部７３によりＢＣＡからの情報の読み出しに成功したと判定されたときの光ピックアップ２の移動制御量を、ディスクｄのディスク情報に対応付けてＢＣＡ記録位置データベース８０に記憶する。これにより、ＢＣＡ記録位置データベース８０の情報を適切に更新することができる。
【００２１】
ディスク装置１における制御部７０、ディスク情報取得部７１、検索部７２、判定部７３の各機能は、処理回路により実現される。すなわち、ディスク装置１は、図４を用いて後述する各処理を実行するための処理回路を備える。処理回路は、メモリ８に記憶されるプログラムを実行するＣＰＵ７である。
【００２２】
制御部７０、ディスク情報取得部７１、検索部７２および判定部７３の機能は、ソフトウェア、ファームウェア、またはソフトウェアとファームウェアとの組み合わせにより、実現される。ソフトウェアおよびファームウェアはプログラムとして記述され、メモリ８に記憶される。処理回路は、メモリ８に記憶されたプログラムを読み出して実行することにより、各部の機能を実現する。すなわち、ディスク装置１は、処理回路により実行されるときに、図４の各処理が結果的に実行されることになるプログラムを記憶するメモリ８を備える。また、これらのプログラムは、制御部７０、ディスク情報取得部７１、検索部７２および判定部７３の手順および方法をコンピュータに実行させるものである。
【００２３】
図３は、ディスクｄの記録領域の概要を示す図である。図３に示すように、ディスクｄには、通常の記録トラックが形成されたデータ記録領域があり、データ記録領域の内周部にＢＣＡが形成されている。ＢＣＡから情報を読み出す場合、光ピックアップ２をデータ記録領域よりも内周に送ってＢＣＡにアクセスする。
【００２４】
ＢＣＡは、データ記録領域よりも径方向の幅が狭い記録領域であり、ディスクｄの偏心などによって光ピックアップ２のビームスポットが外れやすい。特に、ディスクｄの偏心はディスクごとに個体差がある。このため、ＢＣＡからの情報の読み出しに成功したときの光ピックアップ２の移動制御量は、ディスクｄごとに管理する必要がある。
そこで、本発明では、ＢＣＡ記録位置データベース８０を用いることで、ディスクｄが変更されてもＢＣＡの情報を適切に読み取ることができる。
【００２５】
次に動作について説明する。
図４は実施の形態１に係るディスク装置１の動作を示すフローチャートであり、ＢＣＡから情報を読み出す一連の処理を示している。
ディスク装置１にディスクｄが挿入されると、スピンドルモータによってディスクｄが回転される。制御部７０は、サーボ部９を制御して光ピックアップ２を駆動させて、回転するディスクｄのデータ記録領域からデータを読み出す。このデータは、Ａ／Ｄ変換器６によってデジタル信号に変換されてからディスク情報取得部７１および判定部７３に入力される。ディスク情報取得部７１は、Ａ／Ｄ変換器６から入力したデータの中から、ディスクｄのディスク情報を読み出す（ステップＳＴ１）。
【００２６】
検索部７２は、ＢＣＡ記録位置データベース８０を参照して、ディスク情報取得部７１により取得されたディスク情報に対応する移動制御量を検索する（ステップＳＴ２）。
ＢＣＡ記録位置データベース８０に対応する移動制御量が登録されていれば（ステップＳＴ３；ＹＥＳ）、制御部７０は、検索部７２により検索された光ピックアップ２の移動制御量に基づいて光ピックアップ２を駆動させてＢＣＡにアクセスさせる。これにより、光ピックアップ２にディスクｄのＢＣＡの情報を読み出させる（ステップＳＴ４）。
これにより、ＢＣＡに記録されたディスク固有の識別情報が直ちに読み出されるので、遅延なく、その後のコンテンツの再生起動を行うことができる。
【００２７】
一方、ＢＣＡ記録位置データベース８０に対応する移動制御量が登録されていない場合（ステップＳＴ３；ＮＯ）、制御部７０は、光ピックアップ２をデータ記録領域よりも内周に送ってＢＣＡへのアクセスを試みる（ステップＳＴ５）。
この後、判定部７３は、Ａ／Ｄ変換器６から入力された情報に基づいて、ＢＣＡに記録された情報の読み出しに成功したか否かを判定する（ステップＳＴ６）。例えば、Ａ／Ｄ変換器６から入力された情報をコンテンツ再生部に送り、この情報によってコンテンツのスクランブルが解けた場合に、ＢＣＡからの情報の読み出しに成功したと判定される。
【００２８】
ＢＣＡからの情報の読み出しに失敗したと判定した場合（ステップＳＴ６；ＮＯ）、判定部７３は、この判定結果を制御部７０に通知する。
制御部７０は、判定部７３から失敗の通知を受けると、ステップＳＴ５の処理に戻り、光ピックアップ２の内周の送り量を変更してＢＣＡへのアクセスをリトライする。
【００２９】
ＢＣＡからの情報の読み出しに成功したと判定した場合（ステップＳＴ６；ＹＥＳ）、判定部７３は、この判定結果を制御部７０に通知する。
制御部７０は、判定部７３から成功の通知を受けると、今回のアクセスで得られた移動制御量を、ディスクｄのディスク情報に対応させてＢＣＡ記録位置データベース８０に登録する（ステップＳＴ７）。この後、処理を終了する。
【００３０】
これまでは、ディスク情報が完全に一致する情報を、ＢＣＡ記録位置データベース８０から読み出す場合を示したが、これに限定されるものではない。
例えば、ディスク情報に含まれる各情報に優先順位付けを施し、優先順位の高い情報に対応する制御移動量を、ＢＣＡ記録位置データベース８０から読み出してもよい。
ＢＣＡにおける情報の記録に最も支配的な製造メーカーを示す情報に最も高い優先順位を付与し、その次に支配的と考えられるディスクタイプに次に高い優先順位を付与する。
これにより、ＢＣＡにおける情報の記録に支配的な情報に基づいてディスクｄのＢＣＡから適切に情報の読み出しが可能な光ピックアップ２の移動制御量を特定できる。
また、ディスク情報に製造メーカーを示す情報がない場合であっても次に支配的な情報を用いて光ピックアップ２の移動制御量を特定することが可能である。
【００３１】
さらに、検索部７２が、ディスク情報に含まれる各情報のうち、統計的な分析で特定された情報に対応する制御移動量を、ＢＣＡ記録位置データベース８０から検索するように構成してもよい。
例えば、ディスク情報に含まれる各情報をカテゴリーデータとして０，１のダミー変数Ｘ１，Ｘ２，・・・，Ｘｎに変換し、光ピックアップ２の送り量に対して重回帰分析により回帰式Ｙを得る。この回帰式Ｙを用いることにより、ディスク装置１に新たに挿入されたディスクｄのディスク情報に基づいて、ＢＣＡから適切に情報の読み出しが可能な光ピックアップ２の移動制御量を特定することができる。ディスクｄの製造メーカーを示す情報がＢＣＡにおける情報の記録に支配的である場合、製造メーカーを示す情報の変数Ｘｎに対応する重み係数ａｎが大きくなることが予想される。
なお、回帰式Ｙの生成に用いるディスク情報は任意に指定することができる。
これにより、ＢＣＡから情報の読み出しが可能な光ピックアップ２の移動制御量を的確に特定することができる。
【００３２】
以上のように、実施の形態１に係るディスク装置１は、制御部７０、ディスク情報取得部７１、検索部７２およびＢＣＡ記録位置データベース８０を備える。
ディスク情報取得部７１は、ディスクｄを特定するためのディスク情報を取得する。
ＢＣＡ記録位置データベース８０は、ディスクｄのＢＣＡの情報の読み出しに成功した光ピックアップ２の移動制御量がディスク情報に対応付けて記憶される。
検索部７２は、ディスク情報取得部７１により取得されたディスク情報に対応する移動制御量を、ＢＣＡ記録位置データベース８０から検索する。
制御部７０は、検索部７２により検索された移動制御量に基づいて、光ピックアップ２にディスクｄのＢＣＡの情報を読み出させる。
このようにＢＣＡ記録位置データベース８０から、ディスク情報に対応する移動制御量を読み出してＢＣＡの情報の読み出しに使用するので、ディスクｄが変更されてもＢＣＡの情報を適切に読み取ることができる。
【００３３】
また、実施の形態１に係るディスク装置１は、ディスクｄのＢＣＡの情報の読み出しに成功したか否かを判定する判定部７３を備える。制御部７０は、判定部７３により読み出しに成功したと判定された際の光ピックアップ２の移動制御量を、ディスクｄのディスク情報に対応付けてＢＣＡ記録位置データベース８０に記憶する。
このように構成することで、ＢＣＡ記録位置データベース８０の情報を適切に更新することができる。
【００３４】
さらに、実施の形態１に係るディスク装置１において、ディスク情報には、少なくともディスクｄの製造メーカーを示す情報が含まれる。これにより、ＢＣＡにおける情報の記録に最も支配的な情報を用いて、ディスクｄのＢＣＡから適切に情報の読み出しが可能な光ピックアップ２の移動制御量を特定することができる。
【００３５】
さらに、実施の形態１に係るディスク装置１において、検索部７２は、ディスク情報に含まれる各情報のうち、優先順位の高い情報に対応する制御移動量を、ＢＣＡ記録位置データベース８０から検索する。このように構成することで、優先順位の高い情報を用いてＢＣＡから適切に情報の読み出しが可能な光ピックアップ２の移動制御量を特定することができる。例えば、ディスクｄの製造メーカーを示す情報に対して、優先順位を高く設定するとよい。
【００３６】
さらに、実施の形態１に係るディスク装置１において、検索部７２は、ディスク情報に含まれる各情報のうち、統計的な分析で特定された情報に対応する制御移動量を、ＢＣＡ記録位置データベース８０から検索する。このように構成することで、ＢＣＡから情報の読み出しが可能な光ピックアップ２の移動制御量を的確に特定することができる。
【００３７】
なお、本発明は、その発明の範囲内において、実施の形態の任意の構成要素の変形もしくは実施の形態の任意の構成要素の省略が可能である。
【符号の説明】
【００３８】
１  ディスク装置、２  光ピックアップ、３  搬送機構、４  モータ、５  増幅器、６  Ａ／Ｄ変換器、７  ＣＰＵ、８  メモリ、９  サーボ部、７０  制御部、７１  ディスク情報取得部、７２  検索部、７３  判定部、８０  ＢＣＡ記録位置データベース。
【図１】
2017004575.tif 000003
【図２】
2017004575.tif 000004
【図３】
2017004575.tif 000005
【図４】
2017004575.tif 000006